(57)【要約】【課題】製本技術を簡素化し、事故本を防止し得る本を提供する。【解決手段】複数枚の両袖観音開き折りした折丁１を、互いにその折丁背部を揃えて集積し、かつ、集積された集積折丁の折丁背部同士を接着剤３で接合して本本体１０を形成する。本本体を厚表紙２の表表紙２０と裏表紙２２との間に配置すると共に本本体の背部を厚表紙の背表紙２１の内側面に沿って配置し、本本体の背部と厚表紙の背表紙の内側面とを接着剤６で接合して製本する。【選択図】図１
0003154582.tif 000002
【実用新案登録請求の範囲】
【請求項１】
複数枚の両袖観音開き折りした折丁からなる本本体を厚表紙の表表紙と裏表紙との間に配置して製本された本であって、
前記本本体の前記各折丁は、互いにその折丁背部を揃えて集積されていると共に前記集積された集積折丁の折丁背部同士が接着剤で接合され、
前記本本体の背部は、前記厚表紙の背表紙の内側面に沿って配置され、前記本本体の背部と前記背表紙の内側面とが接着剤で接合されて製本されている
ことを特徴とする、本。
【請求項２】
所望の用紙を二つ折りして形成され、前記本本体の表面及び裏面と前記表表紙の内側面及び前記裏表紙の内側面との間にそれぞれ配置して設けた見返しを有し、前記一方の見返しの背部は前記本本体の表面側の背部と、また、前記他方の見返しの背部は前記本本体の裏面側の背部と接着剤でそれぞれ接着され、前記両見返しの外側紙は前記表表紙及び前記裏表紙の内側面に接着剤でそれぞれ接着されて製本されている
ことを特徴とする、請求項１に記載の本。
【考案の詳細な説明】
【技術分野】
【０００１】
本考案は、本本体を表紙の表表紙と裏表紙との間に配置して製本された本に関する。
【背景技術】
【０００２】
従来、製本技術として、糸綴り製本（先行技術１）、アジロ折り製本（先行技術２）及び中ミシン綴り製本（先行技術３）が一般に知られて広く採用されている。
【０００３】
先行技術１は、８頁折り，１６頁折りした複数枚の折丁をページ順に従って積み重ね、背部を糸綴りし、次いで断裁処理した後、表紙付けして製本するものである。なお、ここで「４頁折り」とは、１枚の被製本紙を二つ折りした折丁を言う。また、「８頁折り」とは、前記４頁折りした折丁をさらに二つ折りした折丁を言う。さらにまた、「１６頁折り」とは、前記８頁折りした折丁をさらに二つ折りした折丁を言う。
【０００４】
先行技術２は、８頁折り，１６頁折りした折丁をページ順に従って積み重ね、各折丁の背部に、折丁の各ページ紙部を接着剤で接合するため、折丁の中まで貫通するスリット目を入れ、断裁処理して本本体を形成し、この本本体の背部を表紙の背表紙の内側面に接着剤で接合して製本するものである。
先行技術３は、４頁折り，８頁折り，１６頁折りした折丁をページ順に従って平丁合状に重ね合わせ、中折りする中央部に沿ってミシン綴りした後、断裁処理して本本体を形成し、表紙付けして製本するものである（例えば、特許文献１参照）。
【先行技術文献】
【特許文献】
【０００５】
【特許文献１】特公平４−４２２００号公報
【考案の概要】
【考案が解決しようとする課題】
【０００６】
しかし、上述した先行技術１ないし３はそれぞれ次のような点において問題を有している。
【０００７】
即ち、先行技術１の糸綴り製本は、（１）糸を通した穴より接着剤（糊剤）が本本体の中に入り込み、ページを開いた時に、穴付近の絵柄やその他の印刷面に接着剤が付着してしまう。（２）印刷により、糸の部分がプレスした際、糸の跡が付いて、印刷の絵柄等を落としてしまう。（３）糸が切れて抜けてしまう問題がある。
【０００８】
先行技術２のアジロ折り製本は、８頁折り，１６頁折りの折丁の中まで接着剤（糊剤）を入れるため、機械の調整に手間が掛り、機械の調整や被製本紙の紙質が悪い場合には、接着剤が折丁の中まで入らないことがあり、これが頁紙の抜落の原因になる。
【０００９】
先行技術３の中ミシン綴製本は、本本体の全ての頁紙を重ねてその中央部をミシン綴りした糸だけでもたせているため、糸が切れる等により、糸が解かれた場合は頁紙が全て抜け落ちる問題がある。
【００１０】
本考案は先行技術１ないし３の有する上述した問題点を全て解消し、製本技術を簡素化し、事故本を防止し得る本を提供することを目的とするものである。
【課題を解決するための手段】
【００１１】
上記目的を達成するため、本考案のうち１つの考案（第１の考案）は、複数枚の両袖観音開き折りした折丁からなる本本体を厚表紙の表表紙と裏表紙との間に配置して製本された本であって、
前記本本体の前記各折丁は、互いにその折丁背部を揃えて集積されていると共に前記集積された集積折丁の折丁背部同士が接着剤で接合され、
前記本本体の背部は、前記厚表紙の背表紙の内側面に沿って配置され、前記本本体の背部と前記背表紙の内側面とが接着剤で接合されて製本されていることを特徴とする。
【００１２】
なお、本考案において、「両袖観音開き折りした折丁」とは、１枚の被製本紙が二つ折りされ、かつ、前記被製本紙の前記二つ折りした折り線を境にして左右に形成された両頁紙部を、その略中央部に沿ってそれぞれ内側方向に向けてさらに二つ折りされている折丁を意味する用語として使用されている。
【００１３】
本考案の他の１つの考案（第２の考案）は、第１の考案の本において、所望の用紙を二つ折りして形成され、前記本本体の表面及び裏面と前記表表紙の内側面及び前記裏表紙の内側面との間にそれぞれ配置して設けた見返しを有し、前記一方の見返しの背部は前記本本体の表面側の背部と、また、前記他方の見返しの背部は前記本本体の裏面側の背部と接着剤でそれぞれ接着され、前記両見返しの外側紙は前記表表紙及び前記裏表紙の内側面に接着剤でそれぞれ接着されて製本されていることを特徴とする。
【考案の効果】
【００１４】
本考案によれば、次のような作用効果を奏する。
（１）先行技術１のような糸綴り方式を採用することなく、複数枚の折丁を集積した集積折丁の折丁背部同士を接着剤で接合して本本体を形成し、本本体の背部を厚表紙の背表紙の内側面に接着剤で接合して製本するものである。したがって、製本技術を簡素化して良好に製本することが可能になる。
（２）糸綴りを採用しないので、糸を通した穴から接着剤が入り込んで絵柄等の印刷面に付着する問題を解消することができる。
（３）糸を使用しないので、糸が切れて頁紙が抜ける問題を解消することができる。
（４）先行技術２のアジロ折り方式による問題点を解消することができる。
（５）上記（１）〜（４）のように、比較的簡便な製本方法により、先行技術の有する上述した全ての問題点を全て解消し、絵柄やデザインを損なうことなく、事故本を防止できる製本技術を提供することが可能になる。
【図面の簡単な説明】
【００１５】
【図１】本考案の一実施形態の本の構成を概略的に示す図であって、同図（ａ）は前記本の全体構成を示す斜視図、同図（ｂ）は前記本の表紙を閉じて、要部を拡大して示す側面図、同図（ｃ）は前記本の一枚の折丁を示す側面図、同図（ｄ）は前記折丁の構成を説明するために示す説明図である。
【図２】図２（ａ）〜（ｃ）は前記本の本本体の製造（製本）工程を概略的に示す説明図である。
【図３】前記本の製本工程を概略的に示す図であって、同図（ａ）は厚表紙の構成及び前記表紙の背表紙に接着剤を塗布する工程を示す説明図、同図（ｂ）は前記本本体を前記表紙に接合して製本する工程を示す説明図である。
【考案を実施するための形態】
【００１６】
以下、図面を参照して本考案の本の実施形態の一例について説明する。
【００１７】
図１〜図３に示すように、本考案の本は、複数枚の両袖観音開き折りした折丁１…１からなる本本体１０を厚い表表紙２０，厚い背表紙２１及び厚い裏表紙２２からなる厚表紙２の表裏表紙２０，２２間に配置して製本されている。
【００１８】
前記各折丁は、図１（ｃ），（ｄ）に示すように、１枚の被製本紙１１（図示では長方形）が二つ折りされ、かつ、被製本紙１１の前記二つ折りされた折り線１２を境にして左右に形成された両頁紙部１３，１４を、その略中央部に沿ってそれぞれ内側方向に向けてさらに二つ折りされて構成されている。両頁紙部１３，１４の前記二つ折りされた両折り返し部１３ａ，１４ａ（折り返し片）はそれぞれ観音開き状に開閉するように形成されている。各折丁１の被製本紙１１の両面には、絵柄，図形，文字その他の事項が印刷されている。
【００１９】
前記本本体１０は、例えば、公知の平綴じ製本用の製本丁合機など、適宜な折丁集積手段を利用して、前記各折丁１をページ順に従い、互にその折丁背部（折り線１２の外側部）を揃えて集積（積み重ね）され、かつ、集積した集積折丁の各折丁背部同士を所望の接着剤３で接合されて構成される。前記接着剤３としては、例えば商品名：ボンド（登録商標）などが使用される。但し、上記例示した接着剤に限定するものではない。
【００２０】
本実施形態では、本本体１０の表面及び裏面と表表紙２０及び裏表紙２２の内側面との間にそれぞれ配置されて設けられる見返し４，４を備える。両見返し４は、被製本紙１１の頁紙部１３又は１４（頁紙部１３と１４は同一大きさ）と略同一大きさの紙材等、所望の素材よりなる用紙を二つ折りして形成される。
【００２１】
前記一方の見返し４は、その背部４ａ（図２（ａ）参照）を本本体１０の表面側の折丁背部と合致させて前記接着剤３で前記背部と接着（接合）されている。また、前記他方の見返し４は、その背部４ａを本本体１０の裏面側の折丁背部と合致させて前記接着剤３で前記背部と接着（接合）されている。前記見返し４の外側紙４ｂは、表表紙２０及び裏表紙２２の内側面に前記接着剤３と同様の接着剤やその他の適当な接着剤でそれぞれ接着される。
【００２２】
本実施形態の両見返し４は、図２（ａ）及び（ｂ）に詳細に示すように、前記集積折丁の表面側及び裏面側に配置して集積され、その状態で接着剤３により見返し４の背部４ａを折丁背部と一緒に接合されている。即ち、本本体１０は両見返し４と一体的に接合して構成されている。これにより、本本体１０は、その表面及び裏面にそれぞれ見返し４を備えて構成されている。また、本実施形態では、本本体１０の集積折丁の背部に、図２（ｃ）等に示すように、両見返し４を含め、各折丁背部同士の接合強度を増大させるため、補強用の布５（キャラコ等）を接着してある。これにより、本本体１０の各折丁背部同士は強固に接合される。なお、本本体１０は所定の段階で断裁処理加工される。本実施例では、本本体１０の上縁部及び下縁部側を断裁処理する。
【００２３】
前記厚表紙２は、上述したように、厚い表表紙２０と、厚い背表紙２１と、厚い裏表紙２２とで構成され、各表紙２０，２１，２２は折り部２３，２４を介して連接されている。
【００２４】
本実施形態の各表紙２０，２１，２２は、図３（ａ）に示すように、ボール紙その他の厚紙より芯材２０ａ，２１ａ，２２ａで構成されている。厚表紙２は、紙材，クロース材、或いはレザー等よりなる表装材２５の裏面上に、その中央部に背表紙２１の芯材２１ａを配置すると共に芯材２１ａの両側に、芯材２１ａとの間に適当な間隙部を形成して表表紙２０の芯材２０ａ及び裏表紙２２の芯材２２ａを配置し、上記三者２０ａ，２１ａ，２２ａを接着剤で表装材２５に接着（貼り合わせ）して連接されている。これにより、各表紙２０，２１，２２間には、前記間隙部及び表装材により折り部２３，２４が構成されている。
また、表装材２５は、図３（ａ）に示すように、その周縁部を芯材２０ａ，２１ａ，２２ａの内側面側に折り返し、接着剤を用いて各芯材の内側面にそれぞれ接着され、厚表紙２が構成されている。
【００２５】
前記本本体１０は、厚表紙２の表裏表紙２０，２２間に配置され、その背部は背表紙２１の内側面に沿わせて配置され（本実施形態では補強用の布５を介在して配置）、本本体１０の背部と背表紙２１の内側面とが接着剤６（例えば、ホットメルト）で接合されている。
また、一方の見返し４の外側紙４ｂは表表紙２０の内側面に接着剤で接着すると共に他方の見返し４の外側紙４ｂは裏表紙２２の内側面に接着剤で接着されて製本されている。
【００２６】
なお、本実施形態においては、厚表紙２の表表紙２０，背表紙２１，裏表紙２２の芯材を別体に形成し、これら三者を表装材２５を用いて連接した構成を採用した例を示したが、表紙の前記芯材は一体的に形成し、これに表装材を接着する構成を採用することもできる。この構成を採用する場合には、各表紙２０，２１，２２間を肉薄部等で形成する等により、各表紙２０，２１，２２間に折り部を形成する。
【００２７】
また、上記した実施形態の本は一例として開示したもので、本考案は上記実施形態に限定されるものではなく、実用新案登録請求の範囲に記載の技術思想を越脱しない範囲において任意に変更可能なものである。
【符号の説明】
【００２８】
１      折丁
２      厚表紙
３      接着剤
６      接着剤
１０    本本体
２０    表表紙
２１    背表紙
２２    裏表紙
【図１】
0003154582.tif 000003
【図２】
0003154582.tif 000004
【図３】
0003154582.tif 000005